(57)【特許請求の範囲】
【請求項１】
外部に接続された外部機器に対して情報の送受信および電力の供給が可能なインターフェース手段を備えた電子装置において、
外部機器が前記インターフェース手段に接続または取り外しされたことを検出する接続検出手段と、
前記インターフェース手段に接続された外部機器から、この外部機器の種別に関する種別情報を取得する種別情報取得手段と、
前記電子装置が実行する処理を解析する処理解析手段と、
前記処理解析手段の解析結果および前記種別情報取得手段が取得した種別情報に基づいて、電力を供給すべき外部機器を選択して当該外部機器に電力を供給する電力供給手段と、を備え、
前記電力供給手段は、新たに外部機器が接続され、前記種別情報取得手段により取得された種別情報を参照した結果、接続された外部機器が、常時電源をオンとする必要がある場合には、電力の供給を継続し、常時電源をオンとする必要がない場合には、電力の供給を停止することを特徴とする電子装置。
【請求項２】
請求項１に記載の電子装置において、
前記接続検出手段は、前記外部機器に対する電力を供給していない状態で、当該外部機器が前記インターフェース手段に接続または取り外しされたことを検出することを特徴とする電子装置。
【請求項３】
請求項１に記載の電子装置において、
前記電力供給手段が前記外部機器に対する電力の供給を停止するときに、この外部機器から外部機器のアドレス情報を含むパラメータ情報を読み出す情報読出手段と、
前記電力供給手段が前記外部機器に対して電力の供給を再開するときに、前記情報読出手段が読み出したパラメータ情報をこの外部機器に対して入力設定する情報設定手段と、を更に備えていることを特徴とする電子装置。
【請求項４】
請求項１に記載の電子装置において、
前記電子装置が実行する処理において前記インターフェース手段に接続された外部機器の動作が必要か否かを前記処理解析手段の解析結果および前記種別情報に基づいて判定する動作判定手段を更に備えたことを特徴とする電子装置。
【請求項５】
請求項４に記載の電子装置において、
前記処理解析手段は、前記電子装置が実行する処理に基づく処理データに含まれる、外部機器に行わせる動作を示すキーワードを検出し、
前記動作判定手段は、前記処理解析手段が検出したキーワードおよび種別情報に基づいて前記インターフェース手段に接続された外部機器の動作が必要か否かを判定し、
前記電力供給手段は、前記動作判定手段が前記外部機器の動作が必要と判定した場合に、前記外部機器に電力を供給し、この動作が終了した後電力の供給を停止することを特徴とする電子装置。
【請求項６】
請求項１に記載の電子装置において、
前記処理解析手段は、ネットワークを介して送信された印刷データに基づいて前記電子装置が実行する処理を解析することを特徴とする電子装置。
【請求項７】
請求項１に記載の電子装置において、
前記電力供給手段は、入力された制御信号に基づきオン・オフを切り替える切替手段と、
前記切替手段と外部機器に電力を供給する電源線とを接続する接続手段と、
前記切替手段に接続され、前記電源線を介して外部機器に流れた微小電流を検出し、当該微小電流に基づく検出信号を出力する検出信号出力手段とを備えることを特徴とする電子装置。
【請求項８】
請求項７に記載の電子装置において、
前記外部機器が取り外され、前記検出信号出力手段からの検出信号が出力されなくなったとき、前記種別情報取得手段により取得された種別情報は削除されることを特徴とする電子装置。
【請求項９】
請求項１に記載の電子装置において、
前記電力供給手段は、電子装置の初期化時に、接続されている外部機器への電力供給を順番に開始することを特徴とする電子装置。
【請求項１０】
請求項５に記載の電子装置において、
前記電力供給手段は、前記処理解析手段により検出された前記電子装置が実行する処理に基づく処理データに含まれる、外部機器に行わせる動作を示すキーワードに基づき作成された外部機器およびその外部機器作業の動作回数のリストに従って外部機器への電力の供給を制御することを特徴とする電子装置。
【請求項１１】
請求項６に記載の電子装置において、
ネットワークを介して送信された印刷データは、外部装置を動作させる順番を示す順番情報を有し、
前記電力供給手段は、当該順番情報に基づき外部機器への電力の供給を開始することを特徴とする電子装置。
【請求項１２】
請求項１に記載の電子装置において、
接続された外部機器の動作における処理の所要時間を格納する記憶部を備え、
前記電力供給手段は、当該所要時間の短い順または長い順に外部機器への電力の供給を開始することを特徴とする電子装置。
【発明の詳細な説明】
【技術分野】
【０００１】
本発明は、外部に接続された外部機器に対して情報の送受信および電力の供給が可能なインターフェース手段を備えた電子装置に関する。
【背景技術】
【０００２】
従来より、ＵＳＢケーブル等のケーブルを介して外部に接続された外部機器に対して情報の送受信および電力の供給が可能なインターフェース手段を複数備え、複数の外部機器を外部に接続可能な電子装置では、このような外部に接続された外部機器に対してそれぞれ２．５Ｗ等の定められた電力を供給することが可能となっている。そして、電子装置の動作の実行中において必要な場合に外部機器を動作させてユーザの操作に応じてホストＰＣ等のコンピュータからＬＡＮ等のローカルネットワーク等を通じて要求された動作を行うこととなっている。また、例えば外部機器を接続可能なインターフェースとして、ＵＳＢインターフェースおよびメモリーカードインタフェースとを備え、外部機器に格納された画像情報を記録することが可能な記録装置においては、これらのＵＳＢインターフェースおよびメモリーカードインタフェースのそれぞれに接続された外部機器の接続状態を検出するようになっている。そして、これら２つのインターフェースの両方に外部機器が接続されたことを検出したときには、これらの外部機器の要求する電力量の合計が、記録装置が外部機器に対して供給可能な電力量の上限値を超えているか否かを判定し、上限値を超えている場合には、先に接続された外部機器の動作状態に応じて外部機器の選択を行い電力を供給するようになっている（例えば、特許文献１参照。）。
【０００３】
【特許文献１】特開２００４−２８４１７３号公報（第１−１２頁、第４図）
【発明の開示】
【発明が解決しようとする課題】
【０００４】
しかしながら、上述のような従来の電子装置では、インターフェース手段により外部に複数の外部機器が接続された場合には、これらの複数の外部機器のそれぞれに対して定められた電力を供給するために多大な電力を確保することが必要となっていた。例えば４つの外部機器のそれぞれに対して２．５Ｗの電力を供給するとなると１０Ｗの電力を確保する必要がある。このため、多くの複数の外部機器が接続されると供給する電力の合計量が増大することとなり、電子装置自身が動作するために必要な電力が多大でなく少量である場合には、供給する電力を多く確保することを目的として電子装置が大型化されたり、コストが増大することとなっていた。
【０００５】
また、特許文献１に記載された記録装置では、このような供給する電力が多大となることを防ぐために、先に接続された外部機器の動作状態に応じて外部機器の選択を行い電力を供給するようになっているが、この記録装置では、外部に接続されたある外部機器を使用したいにもかかわらず、当該外部機器に対して電力供給がされておらず、使用できない場合があった。
【０００６】
本発明は、このような問題を鑑みてなされたものであり、その目的とするところは、外部に接続された外部機器の種別と電子装置の実行処理解析に従って、効率的に外部機器を選択して電力を供給することが可能な電子装置を提供することを目的とする。
【課題を解決するための手段】
【０００７】
上記目的を達成するために、本発明は、外部に接続された外部機器に対して情報の送受信および電力の供給が可能なインターフェース手段を備えた電子装置において、外部機器が前記インターフェース手段に接続または取り外しされたことを検出する接続検出手段と、前記インターフェース手段に接続された外部機器から、この外部機器の種別に関する種別情報を取得する種別情報取得手段と、前記電子装置が実行する処理を解析する処理解析手段と、前記処理解析手段の解析結果および前記種別情報取得手段が取得した種別情報に基づいて、電力を供給すべき外部機器を選択して当該外部機器に電力を供給する電力供給手段と、を備え、前記電力供給手段は、新たに外部機器が接続され、前記種別情報取得手段により取得された種別情報を参照した結果、接続された外部機器が、常時電源をオンとする必要がある場合には、電力の供給を継続し、常時電源をオンとする必要がない場合には、電力の供給を停止することを特徴とする。
【０００８】
このような発明においては、処理解析手段が電子装置が実行する処理を解析し、電力供給手段が処理解析手段の解析結果および種別情報取得手段が取得した種別情報に基づいて、電力を供給すべき外部機器を選択して当該外部機器に電力を供給するので、電子装置が実行する処理を解析して外部機器の動作状況に従いこの外部機器の動作時に効率的に電力を供給することが可能である。
【０００９】
上述の電子装置において、前記接続検出手段は、前記外部機器に対する電力を供給していない状態で、当該外部機器が前記インターフェース手段に接続または取り外しされたことを検出することとしても良い。このような構成により、接続検出手段に電力が共有されていない状態であっても外部機器がインターフェース手段に接続または取り外しされたことを検出できる。
【００１０】
上述の電子装置において、前記電力供給手段が前記外部機器に対する電力の供給を停止するときに、この外部機器から外部機器のアドレス情報を含むパラメータ情報を読み出す情報読出手段と、前記電力供給手段が前記外部機器に対して電力の供給を再開するときに、前記情報読出手段が読み出したパラメータ情報をこの外部機器に対して入力設定する情報設定手段と、を更に備えていても良い。
【００１１】
このような構成により、電力供給手段が外部機器への電力の供給を停止するときに、情報読出手段が予め外部機器のアドレス情報を含むパラメータ情報を読み出している。これにより、電力供給手段が外部機器に対して電力の供給を再開するときに、ユーザがマニュアルやバックアップデータ等を用いて入力設定等を行わなくても、情報設定手段がパラメータ情報をこの外部機器に対して自動的に入力設定するので、効率的に電子装置の処理を実行させることができる。
【００１２】
また、上述の電子装置において、前記電子装置が実行する処理において前記インターフェース手段に接続された外部機器の動作が必要か否かを前記処理解析部の解析結果および前記種別情報に基づいて判定する動作判定手段を更に備えていてもよい。
【００１３】
このような構成により、動作判定手段が、電子装置が実行する処理においてインターフェース手段に接続された外部機器の動作が必要か否かを処理解析部の解析結果および種別情報に基づいて判定するので、電力を供給すべき外部機器を適切に選択して当該外部機器に電力を供給することが可能である。
【００１４】
更に、上述の電子装置において、前記処理解析手段は、前記電子装置が実行する処理に基づく処理データに含まれる、外部機器に行わせる動作を示すキーワードを検出し、前記動作判定手段は、前記処理解析手段が検出したキーワードおよび種別情報に基づいて前記インターフェース手段に接続された外部機器の動作が必要か否かを判定し、前記電力供給手段は、前記動作判定手段が前記外部機器の動作が必要と判定した場合に、前記外部機器に電力を供給し、この動作が終了した後電力の供給を停止することも可能である。このような構成により、動作判定手段は、処理解析手段が検出したキーワードおよび種別情報に基づいてインターフェース手段に接続された外部機器の動作が必要か否かを判定するので、外部機器の動作が必要か否かを適切に判断できる。また、電力供給手段は、動作判定手段が外部機器の動作が必要と判定した場合に、外部機器に電力を供給し、この動作が終了した後電力の供給を停止するので、外部に接続された外部機器の動作状況に従って、効率的に電力を供給することが可能となる。
【００１５】
上述の電子装置において、前記処理解析手段は、ネットワークを介して送信された印刷データに基づいて前記電子装置が実行する処理を解析することとしても良い。このような構成により、印刷データに基づいて電子装置が実行する印刷等の処理において、電子装置が処理実行上必要とする外部機器に従って、外部機器に効率的に電力を供給することが可能である。
【発明の効果】
【００１６】
以上のように本発明の電子装置は、外部に接続された外部機器の種別と電子装置の実行処理解析に従って、効率的に電力を供給することが可能であるという効果を有する。
【発明を実施するための最良の形態】
【００１７】
（第１の実施の形態）
以下、本発明を実施するための最良の形態の第１の実施の形態について図面を用いて詳細に説明する。図１は、本発明に係る電子装置の具体的な一例である印刷装置１の構成を示す説明図である。本発明に係る印刷装置１は、印刷データをラスタライズして作成された画素データに基づいて実際の印刷を行うことが可能な機構を有する印刷機構部２と、外部に設置されたホストＰＣ８から送信された印刷データに対してラスタライズ等の処理を行う印刷制御部３と、印刷制御部３が行う処理に関するプログラムを記憶した記憶部４と、ケーブル等を介して接続されたホストＰＣ８と情報の送受信が可能なホストＰＣ受信ＩＦ部５と、ＵＳＢケーブル等のケーブルを介して接続された外部機器であるＵＳＢメモリ９、指紋認証デバイス１０と情報の送受信が可能なＵＳＢホストＩＦ制御部６と、ＵＳＢメモリ９、指紋認証デバイス１０等の外部機器に対して電力を供給可能であり外部機器がＵＳＢホストＩＦ制御部６に接続または取り外しされたことを検出可能なＩＦ電源制御部７と、ユーザに対して印刷装置１の動作状況や外部機器の接続状況等を表示し、印刷装置１の操作を行うためのスイッチが設けられた操作パネル表示部１１とを備えている。
【００１８】
図２は、印刷機構部２の構成を示す説明図である。印刷機構部２は、再生紙、光沢紙等の印刷媒体２１に印刷する画像を表した感光ドラム２０表面上の静電気潜像にトナーを付着させて現像する現像機２２と、この静電気潜像を感光ドラム２０の表面上に形成する単一の光源を回転するミラー等により走査するレーザースキャナや複数のＬＥＤからなるＬＥＤアレイ等により実現される露光器２３と、感光ドラム２０の表面を一様に帯電する帯電器２４と、印刷媒体２１に転写された画像をローラを用いて熱や圧力により定着させる定着器２５と、感光ドラム２０の表面上に現像された画像をローラを用いて印刷媒体２１に転写する転写器２６と、印刷媒体２１が格納されたトレイ２７と、トレイ２７から媒体搬送路２９を経て画像が印刷され排出された印刷媒体２１を格納する排出トレイ２８とを備えている。なお、このような構成により電子写真法を用いた印刷が実現されるが、インパクト力、インクの噴射によってトナーやインクを印刷媒体２１の表面上に画像を印刷できるのであればインクジェット等の他の何れの方法であってもよい。
【００１９】
印刷制御部３は、記憶部４に記憶されたプログラムを実行することにより各種の処理を行うことが可能である。例えばホストＰＣ受信ＩＦ部５によりホストＰＣ８から受信した印刷データをラスタライズして画素データを作成する処理を行うことが可能である。
【００２０】
記憶部４は、印刷制御部３が実行するプログラムを格納したＲＯＭと、印刷制御部３が処理を行う際に必要となる情報やデータ等を格納するＲＡＭとを備えている。ホストＰＣ受信ＩＦ部５は、ケーブル等を介して接続されたホストＰＣ８と情報の送受信が可能となる、例えばＵＳＢインターフェースやセントロニクスＩＦ等である。
【００２１】
図９は、ＩＦ電源制御部７の構成を示す説明図である。ＩＦ電源制御部７は、図９に示すように、印刷制御部３から送信される制御信号ＶＢＵＳＯＮによりＯＮ／ＯＦＦ制御することが可能なＦＥＴスイッチ９５と、このＦＥＴスイッチ９５と外部機器に電源を供給する電源ラインであるＶＢＵＳとを繋ぐ抵抗Ｒ９６と、ＦＥＴスイッチ９５に接続されたコンパレータ９７とから構成されている。なお、ＩＦ電源制御部７は、接続可能なインターフェース数に対応する個数だけ図９に示す回路を備えている。ＦＥＴスイッチ９５がＯＦＦとなっているときにＶＢＵＳに外部機器が接続されている場合には、抵抗Ｒ９６を介して微小な電流がＶＢＵＳを通して外部機器に対して流れるようになっており、これをコンパレータ９７がセンスして変換したＦＬＡＧ信号が印刷制御部３に送信され、印刷制御部３が外部機器が印刷装置１の外部に接続されていることを検出する。ＶＢＵＳに外部機器が接続されていない場合には微小な電流がＶＢＵＳを通して外部機器に対して流れることがない。したがって、外部機器が切離された場合であっても検出することができる。
【００２２】
ＵＳＢメモリ９は、情報やデータを格納するＮＡＮＤ型フラッシュメモリと、ＵＳＢケーブルを介して情報の送受信を実行するＵＳＢデバイスＩＣとにより構成されており、予め印刷する画像の中に含まれるアルファベットや漢字等の文字を表示するためのフォントデータ等が格納されている。指紋認証デバイス１０は、ユーザの指が押し付けられる認証パネルにてユーザの指の指紋データを採取し、この指紋データに基づいてユーザを特定して認証を行う指紋認証センサと、ＵＳＢケーブルを介して印刷装置１と情報の送受信を行うＵＳＢデバイスＩＣとを備えている。印刷装置１のＩＦ電源制御部７から供給された電力により動作するようになっている。
【００２３】
図６は、操作パネル表示部１１の構成を示す説明図である。操作パネル表示部１１は、印刷制御部３から送信された情報を受信して表示するＬＣＤ６１と、ＬＣＤ６１に表示された情報の内容に従ってユーザが印刷の設定に関する選択操作、決定操作を行うためのボタン６２、６３、６４、６５、６６が設けられている。また、ユーザがボタン６２、６３、６４、６５、６６を用いて印刷の設定に関する選択操作、決定操作を行うと、選択された選択情報等の情報が印刷制御部３に送信する機能を有する。
【００２４】
続いて、第１の実施の形態における印刷装置１の動作について図面を用いて詳細に説明する。まず、印刷装置１の図示しない電源が投入されＯＮとなり、ＯＦＦとなるまでの全体の動作について、図３に示すフローチャート図を用いて説明する。ユーザにより図示しない電源が投入されると印刷装置１は、この装置全体の初期化処理を開始する（ステップＳ３０１）。そして、印刷制御部３や記憶部４の初期化を実行する。これらそれぞれの初期化の実行については後に詳細に説明する。
【００２５】
次に印刷装置１は、電源がＯＦＦされたか否かを判定する（ステップＳ３０２）。ＯＦＦされた場合には（ステップＳ３０２のＹＥＳ）、印刷装置１全体の動作を終了する。
【００２６】
次にＯＦＦされていない場合には（ステップＳ３０２のＮＯ）、印刷制御部３が外部機器がＵＳＢホストＩＦ制御部６に接続または取り外しされ、接続状況に変化が生じたか否かを検出する処理を行う（ステップＳ３０３）。接続状況に変化が生じた場合には（ステップＳ３０３のＹＥＳ）、外部機器から種別情報を取得する処理を行う。この処理については後に詳細に説明する。
【００２７】
次に接続状況に変化が生じていない場合には（ステップＳ３０３のＮＯ）、操作パネル表示部１１から印刷の設定に関する選択操作、決定操作に応じた選択情報や印刷データ等が送信されたか否かを判定する（ステップＳ３０４）。選択情報等の情報が送信されていない場合には（ステップＳ３０４のＮＯ）、印刷制御部３が画像を印刷データ等に基づいて印刷を行う画像生成処理を行う（ステップＳ３０５）。
【００２８】
続いて、上述のステップＳ３０１における印刷装置１全体の初期化処理について、図４に基づいて詳細に説明する。ステップＳ３０１において印刷装置１全体の初期化処理が開始されると、印刷制御部３の初期化を行う（ステップＳ４０１）。具体的には印刷制御部３の動作を実現するＣＰＵやＡＳＩＣ等が各種の動作を開始可能となるように初期化を行う。
【００２９】
次に印刷装置１は、記憶部４の初期化を行う（ステップＳ４０２）。具体的にはＲＯＭからの読み出しや、ＲＡＭに対する情報の書き込みまたは読み出しが可能となるように初期化を行う。このような初期化を行うことにより、印刷制御部３がＲＯＭからプログラムを読み出して実行し各種の動作を開始することが可能となる。
【００３０】
次に印刷装置１は、印刷機構部２の初期化を行う（ステップＳ４０３）。具体的には印刷機構部２内部の定着器２５で現像の定着を可能とするためにローラを加熱する温度制御の開始や転写器２６のローラ表面の塵やゴミ等を除去するクリーニング動作を行う。
【００３１】
次に印刷装置１は、ホストＰＣ受信ＩＦ部５の初期化を行う（ステップＳ４０４）。具体的にはホストＰＣ受信ＩＦ部５内部の受信した情報等を一時的に格納するバッファに格納された情報等のクリア処理を行い、また、このホストＰＣ受信ＩＦ部５に接続されたホストＰＣに対して情報の送受信を可能な状態とする。
【００３２】
次に印刷装置１は、外部機器の初期化を行う（ステップＳ４０５）。具体的にはＵＳＢホストＩＦ制御部６に接続されたＵＳＢメモリ９、指紋認証デバイス１０等の外部機器を動作可能な状態とするための初期化を行う。この外部機器の初期化の処理については後に詳細に説明する。そして、印刷装置１全体の初期化処理を終了する。
【００３３】
続いて、上述のステップＳ３０５における印刷制御部３が画像を印刷データ等に基づいて印刷を行う画像生成処理について、図５に基づいて詳細に説明する。まず、印刷制御部３は、ホストＰＣ受信ＩＦ部５を用いて、ホストＰＣ８から画像等のデータを含む印刷データを受信する処理を行う（ステップＳ５０１）。この処理により印刷データを受信すると記憶部４に格納する。この処理については後に詳細に説明する。
【００３４】
次に印刷制御部３は、印刷データに基づいて画像を編集する処理を行う（ステップＳ５０２）。記憶部４に格納された印刷データを解析して、この印刷データに付加された識別情報や印刷の日時情報等を参照し、印刷機構２側に送出する順番に従って、印刷データを仕分ける処理を行う。そして、仕分ける処理を行った各印刷データに含まれる画像のフォントを指定する指定情報を参照し、各指定情報に対応するフォントデータを、ＵＳＢホストＩＦ制御部６を用いてＵＳＢメモリ９から順次読み出す。読み出したこれらのフォントデータをそれぞれの指定情報で指定している印刷データと合成する処理を行う。印刷制御部３は、合成の処理を行った各印刷データを再度記憶部４に格納する。
【００３５】
次に印刷制御部３は、印刷データに対してラスタライジング処理を行う（ステップＳ５０３）。記憶部４に格納された各印刷データを読み出し、このラスタライジング処理により各印刷データを印刷機構部２が印刷を行えるように画素データに変換する処理を行う。
【００３６】
次に印刷制御部３は、画素データに対してビデオ転送処理を行う（ステップＳ５０４）。変換した画素データを識別情報や日時情報に従った順番で印刷機構部２の動作速度に合わせて、印刷機構部２に送出する。
【００３７】
次に印刷制御部３は、ＵＳＢメモリ９の電源をＯＦＦする処理を行う（ステップＳ５０５）。ＩＦ電源制御部７に電力の供給の停止を要求する信号（ＶＢＵＳＯＮ信号＝ＯＦＦ）を送信し、ＩＦ電源制御部７からのＵＳＢメモリ９に対する電力の供給を停止させる。この処理は、ステップＳ５０２におけるフォントデータをＵＳＢメモリ９から読み出す処理が終了した時点で実行される。
【００３８】
続いて、上述の外部機器の接続状況に変化が生じた場合において（ステップＳ３０３のＹＥＳ）、外部機器から種別情報を取得する処理について、図７に基づいて詳細に説明する。まず、印刷制御部３は、ＵＳＢホストＩＦ制御部６が備えている各インターフェース部に外部機器が新たに接続されたのかまたは取り外されたのかを判定する処理を行う（ステップＳ７０１）。ＩＦ電源制御部７を用いて、ＩＦ電源制御部７内のＦＥＴスイッチ９５をＯＦＦとして、微小な電流がＶＢＵＳを通して外部機器に対して流れ、ＦＬＡＧ信号が送信されているか否かを判定する。
【００３９】
ＦＬＡＧ信号が送信されていた状態から送信されなくなり、外部機器が取り外された場合には（ステップＳ７０１のＮＯ）、種別情報を削除する処理を行う（ステップＳ７０７）。記憶部４を検索して、この外部機器の取り外しがされたインターフェース部に対応する、外部機器の名称、種別、消費電力、製造者、記録された内容等を示す種別情報を削除する。例えば、識別番号が２番目の第２のインターフェース部に接続されていた外部機器が取り外された場合には、第２のインターフェース部に対応する種別情報を削除し操作パネル表示部１１に、図１２に示すように、取り外された旨を示す「ＮＯＮＥ」の情報を表示する。
【００４０】
ＦＬＡＧ信号が送信されていない状態から送信されるようになり、外部機器が新たに接続された場合には（ステップＳ７０１のＹＥＳ）、この接続された外部機器の電源をＯＮ（ＶＢＵＳＯＮ信号＝ＯＮ）とする処理を行う（ステップＳ７０２）。例えば、第２のインターフェース部からＦＬＡＧ信号が送信されるようになり、外部機器が新たに接続された場合には、ＩＦ電源制御部７を用いて第２のインターフェース部から電力を供給して電源をＯＮとするようにＶＢＵＳＯＮ信号をアクティブにする。
【００４１】
次に印刷制御部３は、外部機器から種別情報を取得する処理を行う（ステップＳ７０３）。ＵＳＢホストＩＦ制御部６を用いて新たに接続された外部機器と情報を送受信する通信を行い、外部機器から送信されたアドレスの設定情報や種別情報を受信する。
【００４２】
次に印刷制御部３は、種別情報を記憶部４に格納する処理を行う（ステップＳ７０４）。受信したアドレスの設定情報や種別情報をそれぞれ相互に関連付けて記憶部４に格納する。そして、新たに外部機器が接続されたインターフェース部に対応する表示部分にこの種別情報を、図１１に示すように表示する。
【００４３】
次に印刷制御部３は、新たに接続された外部機器が通信デバイス（無線ＬＡＮインターフェース）やスキャナ等の上位の外部機器、すなわち、いつアクティブにされるか印刷装置１にはわからない機器でないか否かを判定する（ステップＳ７０５）。記憶部４に格納した種別情報に含まれる種別の内容を参照して、新たに接続された外部機器が印刷データが送信される通信デバイスやスキャナ、別のホストＰＣ等であり、上位の外部機器であるか否かを判定する。
【００４４】
次に上位の外部機器である場合には（ステップＳ７０５のＮＯ）、上述の印刷装置１の全体の動作におけるステップＳ３０４以降の処理を実行する。
【００４５】
次に上位の外部機器でない場合には（ステップＳ７０５のＹＥＳ）、この外部機器の電源をＯＦＦとする処理を行う（ステップＳ７０６）。ＩＦ電源制御部７を用いてこの外部機器への電力の供給を停止して電源をＯＦＦとするようにＶＢＵＳＯＮ信号をインアクティブにする。
【００４６】
続いて、印刷装置１がホストＰＣ８から送信された印刷データを受信する際の処理について、図８に基づいて詳細に説明する。まず、印刷制御部３は、ホストＰＣ受信ＩＦ部５を介してホストＰＣ８から印刷データが送信されると、記憶部４に格納する（ステップＳ８０１）。
【００４７】
次に印刷制御部３は、ホストＰＣ８から送信された印刷データを解析する処理を行う（ステップＳ８０２）。記憶部４に格納された印刷データを参照して、この印刷データを画素データに変換する前の段階で実行することが必要となる処理を表すキーワードを取得する処理を行う。例えば、図１０に示すように、印刷の際に指紋認証の作業が必要となることを示す「＠ＳＥＣＵＲＩＴＹ  ＣＯＤＥ」のワードや、画像の中に漢字フォントが必要なことを示す「＠ＫＡＮＪＩ  ＦＯＮＴ」のワードが印刷データに含まれている場合には、これらのキーワードを取得し、記憶部４内のＲＡＭに格納する。
【００４８】
次に印刷制御部３は、印刷の際に指紋照合の作業が必要か否かを判定する処理を行う（ステップＳ８０３）。記憶部４内のＲＡＭを検索して「＠ＳＥＣＵＲＩＴＹ  ＣＯＤＥ」のキーワードが格納されている場合には指紋認証が必要であると判定し、格納されていない場合には指紋認証が必要でないと判定する。
【００４９】
次に指紋認証が必要であると判定した場合には（ステップＳ８０３のＹＥＳ）、印刷制御部３は、指紋認証デバイス１０の電源をＯＮとする処理を行う（ステップＳ８０５）。ＩＦ電源制御部７を用いて指紋認証デバイス１０が接続されたインターフェース部に対して、電力を供給して電源をＯＮとするようにＶＢＵＳＯＮ信号をアクティブにする。
【００５０】
次に印刷制御部３は、指紋認証デバイス１０からユーザの指紋認証の照合結果が得られるまで待機する（ステップＳ８０６）。ＵＳＢホストＩＦ制御部６により命令情報を指紋認証デバイス１０に送信し、指紋認証デバイス１０の指紋認証パネルにユーザが指を押し付けてユーザの指の指紋データが採取され、指紋認証センサがこの指紋データを予め記憶された指紋データと一致するか照合する処理を行い、この照合処理の結果、予め記憶された指紋データに基づいてユーザを特定して認証が行われるまで待機状態とする。
【００５１】
次に印刷制御部３は、ユーザの特定がされたか否かを判定する（ステップＳ８０７）。照合の結果、採取された指紋データが予め記憶された指紋データと一致して、ユーザが特定され、認証が行われたか否かを判定する。
【００５２】
次に、ユーザが特定されず認証が行われなかった場合には（ステップＳ８０７のＮＯ）、指紋照合の結果がＮＧであるとして（ステップＳ８１０）、採取した指紋データを削除する等の処理を行ってステップＳ８０６以降の処理を再度実行する。
【００５３】
次に印刷制御部３は、ユーザの特定がされ認証が行われた場合には（ステップＳ８０７のＹＥＳ）、指紋認証デバイス１０の電源をＯＦＦとする処理を行う（ステップＳ８０８）。ＩＦ電源制御部７を用いて指紋認証デバイス１０への電力の供給を停止して電源をＯＦＦとするようにＶＢＵＳＯＮ信号をインアクティブにする。
【００５４】
次に印刷制御部３は、画像の中に漢字フォントがありＵＳＢメモリ９の動作が必要か否かを判定する処理を行う（ステップＳ８０４）。記憶部４内のＲＡＭを検索して「＠ＫＡＮＪＩ  ＦＯＮＴ」のキーワードが格納されている場合には漢字フォントが必要であると判定し、格納されていない場合には漢字フォントが必要でないと判定する。漢字フォントが必要でないと判定した場合には（ステップＳ８０４のＮＯ）、処理を終了する。
【００５５】
次に漢字フォントが必要であると判定した場合には（ステップＳ８０４のＹＥＳ）、印刷制御部３は、ＵＳＢメモリ９の電源をＯＮとする処理を行う（ステップＳ８０９）。ＩＦ電源制御部７を用いてＵＳＢメモリ９が接続されたインターフェース部に対して、電力を供給して電源をＯＮとするようにＶＢＵＳＯＮ信号をアクティブにする。そして、ＵＳＢホストＩＦ制御部６を介してＵＳＢメモリ９に格納されている漢字フォントデータを読み出し記憶部４に格納して、ＵＳＢメモリ９の電源をＯＦＦとする処理を行い終了する。ＵＳＢメモリ９の電源をＯＦＦとする際には、ＩＦ電源制御部７を用いてＵＳＢメモリ９への電力の供給を停止して電源をＯＦＦとするようにＶＢＵＳＯＮ信号をインアクティブにする。
【００５６】
なお、印刷制御部３は、ステップＳ８０２にて取得したキーワードを記憶部４内のＲＡＭに格納せずに、取得する度にその処理（ＯＮ処理）を行うようにしてもよい。また、指紋認証よりもフォントを優先し、データを作成した後に指紋認証をＯＮとするようにしてもよい。
【００５７】
続いて、印刷装置１の電源が投入された際に実行される、ＵＳＢホストＩＦ制御部６が備えている各インターフェース部に接続された外部機器の初期化の処理について、図１３に基づいて詳細に説明する。まず、印刷制御部３は、外部機器の初期化処理を開始すると、各外部機器、即ちＵＳＢメモリ９、指紋認証デバイス１０の電源をＯＮとする処理を行う（ステップＳ１３０１）。このとき、印刷制御部３は、ＵＳＢメモリ９、指紋認証デバイス１０の電源を１つずつ順番にＯＮとしていくようにしてもよい。ＩＦ電源制御部７を用いてＵＳＢメモリ９、指紋認証デバイス１０が接続されたインターフェース部に対して、電力を供給して電源をＯＮとするようにＶＢＵＳＯＮ信号をアクティブにする。
【００５８】
次に印刷制御部３は、外部機器から種別情報を取得する処理を行う（ステップＳ１３０２）。ＵＳＢホストＩＦ制御部６を用いて新たに接続された外部機器と情報を送受信する通信を行い、外部機器から送信されたアドレスの設定情報や種別情報を受信する。
【００５９】
次に印刷制御部３は、種別情報を記憶部４に格納する処理を行う（ステップＳ１３０３）。受信したアドレスの設定情報や種別情報をそれぞれ相互に関連付けて記憶部４に格納する。そして、外部機器が接続されたインターフェース部に対応する表示部分にこの種別情報を、図１１に示すように表示する。
【００６０】
次に印刷制御部３は、インターフェース部に接続さている外部機器が通信デバイスやスキャナ等の上位の外部機器でないか否かを判定する（ステップＳ１３０４）。記憶部４に格納した種別情報に含まれる種別の内容を参照して、インターフェース部に接続されている外部機器が印刷データが送信される通信デバイスやスキャナ、別のホストＰＣ等であり、上位の外部機器であるか否かを判定する。
【００６１】
次に上位の外部機器である場合には（ステップＳ１３０４のＮＯ）、全ての外部機器の電源をＯＮとする処理を行い初期化をしたか否かを判定する（ステップＳ１３０５）。全ての外部機器の電源をＯＮとする処理を行い初期化をした場合には（ステップＳ１３０５のＹＥＳ）、処理を終了する。また、全ての外部機器の電源をＯＮとする処理を行っておらず初期化をしていない場合には（ステップＳ１３０５のＮＯ）、ステップＳ１３０１以降の処理を再度繰り返し実行する。
【００６２】
次に上位の外部機器でない場合には（ステップＳ１３０４のＹＥＳ）、この外部機器の電源をＯＦＦとする処理を行う（ステップＳ１３０６）。ＩＦ電源制御部７を用いてこの外部機器への電力の供給を停止して電源をＯＦＦとするようにＶＢＵＳＯＮ信号をインアクティブにする。
【００６３】
このように、印刷制御部３は、種別情報を参照してＵＳＢメモリ９、指紋認証デバイス１０等のように、上位の外部機器でなく常時電源をＯＮとする必要がない場合には、電源をＯＦＦとする処理を行う。そして、印刷データを解析して指紋認証または漢字フォント等外部機器の動作が必要であると判定した場合には、外部機器の電源をＯＮとする処理を行い、外部機器の動作が終了した後は電源をＯＦＦとする処理を行う。このため、全ての外部機器を常時電源をＯＮとして電力の供給を行い多大な電力を常時消費することを防ぎ、接続された外部機器が２台等であっても電力の供給は常に１台分またはそれ以下となるので、印刷装置１の処理実行状況に応じて外部機器への効率的な電力の供給を実現することができる。
【００６４】
なお、外部機器を動作させるためには、当該外部機器のアドレス情報を含むパラメータ情報等の各種設定を行う必要がある。この設定は、外部機器の初期化時に数ステップの通信手順を経ることにより、当該外部機器に対して行われるのが通常である。したがって、外部機器の電源をＯＦＦからＯＮとする度に、この数ステップの通信を行う必要がある。そこで、印刷装置１においては、外部機器に対する電力の供給を停止するときに、この外部機器から外部機器のアドレス情報を含むパラメータ情報を読み出し、この外部機器に対して電力の供給を再開するときに、読み出したパラメータ情報をこの外部機器に対して入力設定するようにしてもよい。すなわち、印刷装置１においては、外部機器をＯＦＦとする前に、その設定内容を読み出して保持し、当該外部機器をＯＮとした後に、保持した設定内容を当該外部機器に対して通知することにより、数ステップの通信を要する処理を１ステップの通信で済ませることができる。したがって、印刷装置１においては、外部機器の初期化処理を速く行うことができ、印刷全体のスループットを向上させることができる。
【００６５】
（第２の実施の形態）
以下、本発明を実施するための最良の形態の第２の実施の形態について図面を用いて詳細に説明する。図１５は、第２の実施の形態における印刷装置１の構成を示す説明図である。第２の実施の形態における印刷装置１は、ＵＳＢホストＩＳ制御部６が備えているインターフェース部に更に外部機器として、無線によりＬＡＮ等のローカルネットワークを介して他のホストＰＣ等の機器と情報の送受信を行うことが可能な無線ＬＡＮデバイス１２が接続されている。その他の構成は、第１の実施の形態における印刷装置１の構成と同様であり、説明を省略する。
【００６６】
続いて、第２の実施の形態における印刷装置１の動作について図１４を用いて詳細に説明する。第２の実施の形態における印刷装置１の動作は第１の実施の形態と略同様であり、印刷装置１がホストＰＣ８から送信された印刷データを受信する際の処理が異なるためこの処理について詳細に説明する。まず、印刷制御部３は、ＩＦ電源制御部７を用いて無線ＬＡＮデバイス１２が接続されたインターフェース部に対して、電力を供給して電源をＯＮとするようにＶＢＵＳＯＮ信号をアクティブにする。そして、ホストＰＣ８とは異なる他のホストＰＣからローカルネットワークを介して印刷データが送信され、無線ＬＡＮデバイス１２により印刷データを受信すると、記憶部４に格納する（ステップＳ１４０１）。
【００６７】
次に印刷制御部３は、例えば印刷データの受信終了から３０秒程度の一定時間が経過しても次の印刷データを受信しなかった場合等、印刷データの受信が終了したものと判断すると、無線ＬＡＮデバイス１２の電源をＯＦＦとする処理を行う（ステップＳ１４０２）。ＩＦ電源制御部７を用いて無線ＬＡＮデバイス１２への電力の供給を停止して電源をＯＦＦとするようにＶＢＵＳＯＮ信号をインアクティブにする。またこのとき、印刷制御部３は、無線ＬＡＮデバイス１２からＩＰアドレス等を含むパラメータ情報を読み出し、記憶部４に格納する処理を行う。
【００６８】
次に印刷制御部３は、ホストＰＣ８から送信された印刷データを解析する処理を行う（ステップＳ１４０３）。記憶部４に格納された印刷データを参照して、この印刷データを画素データに変換する前の段階で実行することが必要となる処理を表すキーワードを取得する処理を行う。例えば、図１０に示すように、印刷の際に指紋認証の作業が必要となることを示す「＠ＳＥＣＵＲＩＴＹ  ＣＯＤＥ」のワードや、画像の中に漢字フォントが必要なことを示す「＠ＫＡＮＪＩ  ＦＯＮＴ」のワードが印刷データに含まれている場合には、これらのキーワードを取得し、記憶部４内のＲＡＭに格納する。
【００６９】
次に印刷制御部３は、印刷の際に指紋照合の作業が必要か否かを判定する処理を行う（ステップＳ１４０４）。記憶部４内のＲＡＭを検索して「＠ＳＥＣＵＲＩＴＹ  ＣＯＤＥ」のキーワードが格納されている場合には指紋認証が必要であると判定し、格納されていない場合には指紋認証が必要でないと判定する。
【００７０】
次に指紋認証が必要であると判定した場合には（ステップＳ１４０４のＹＥＳ）、印刷制御部３は、指紋認証デバイス１０の電源をＯＮとする処理を行う（ステップＳ１４０６）。ＩＦ電源制御部７を用いて指紋認証デバイス１０が接続されたインターフェース部に対して、電力を供給して電源をＯＮとするようにＶＢＵＳＯＮ信号をアクティブにする。
【００７１】
次に印刷制御部３は、指紋認証デバイス１０からユーザの指紋認証の照合結果が得られるまで待機する（ステップＳ１４０７）。ＵＳＢホストＩＦ制御部６により命令情報を指紋認証デバイス１０に送信し、指紋認証デバイス１０の指紋認証パネルにユーザが指を押し付けてユーザの指の指紋データが採取され、指紋認証センサがこの指紋データを予め記憶された指紋データと一致するか照合する処理を行い、この照合処理の結果、予め記憶された指紋データに基づいてユーザを特定して認証が行われるまで待機状態とする。
【００７２】
次に印刷制御部３は、ユーザの特定がされたか否かを判定する（ステップＳ１４０８）。照合の結果、採取された指紋データが予め記憶された指紋データと一致して、ユーザが特定され、認証が行われたか否かを判定する。
【００７３】
次に、ユーザが特定されず認証が行われなかった場合には（ステップＳ１４０８のＮＯ）、指紋照合の結果がＮＧであるとして（ステップＳ１４１１）、採取した指紋データを削除する等の処理を行ってステップＳ１４０７以降の処理を再度実行する。
【００７４】
次に印刷制御部３は、ユーザの特定がされ認証が行われた場合には（ステップＳ１４０８のＹＥＳ）、指紋認証デバイス１０の電源をＯＦＦとする処理を行う（ステップＳ１４０９）。ＩＦ電源制御部７を用いて指紋認証デバイス１０への電力の供給を停止して電源をＯＦＦとするようにＶＢＵＳＯＮ信号をインアクティブにする。
【００７５】
次に印刷制御部３は、画像の中に漢字フォントがでありＵＳＢメモリ９の動作が必要か否かを判定する処理を行う（ステップＳ１４０５）。記憶部４内のＲＡＭを検索して「＠ＫＡＮＪＩ  ＦＯＮＴ」のキーワードが格納されている場合には漢字フォントが必要であると判定し、格納されていない場合には漢字フォントが必要でないと判定する。漢字フォントが必要でないと判定した場合には（ステップＳ１４０５のＮＯ）、処理を終了する。
【００７６】
次に漢字フォントが必要であると判定した場合には（ステップＳ１４０５のＹＥＳ）、印刷制御部３は、ＵＳＢメモリ９の電源をＯＮとする処理を行う（ステップＳ１４１０）。ＩＦ電源制御部７を用いてＵＳＢメモリ９が接続されたインターフェース部に対して、電力を供給して電源をＯＮとするようにＶＢＵＳＯＮ信号をアクティブにする。そして、処理を終了する。
【００７７】
続いて、第１の実施の形態におけるステップＳ３０５で印刷制御部３が画像を印刷データ等に基づいて印刷を行う画像生成処理について、図１６に基づいて詳細に説明する。ここでは、まず無線ＬＡＮデバイス１２については、上述のステップＳ１４０２により電源がＯＦＦとなっている。印刷制御部３は、ホストＰＣ受信ＩＦ部５を用いて、ホストＰＣ８から画像等のデータを含む印刷データを受信する処理を行う（ステップＳ１６０１）。この処理により印刷データを受信すると記憶部４に格納する。この処理については後に詳細に説明する。
【００７８】
次に印刷制御部３は、印刷データに基づいて画像を編集する処理を行う（ステップＳ１４０２）。記憶部４に格納された印刷データを解析して、この印刷データに付加された識別情報や印刷の日時情報等を参照し、印刷機構２側に送出する順番に従って、印刷データを仕分ける処理を行う。そして、仕分ける処理を行った各印刷データに含まれる画像のフォントを指定する指定情報を参照し、各指定情報に対応するフォントデータを、ＵＳＢホストＩＦ制御部６を用いてＵＳＢメモリ９から順次読み出す。読み出したこれらのフォントデータをそれぞれの指定情報で指定している印刷データと合成する処理を行う。印刷制御部３は、合成の処理を行った各印刷データを再度記憶部４に格納する。
【００７９】
次に印刷制御部３は、印刷データに対してラスタライジング処理を行う（ステップＳ１４０３）。記憶部４に格納された各印刷データを読み出し、このラスタライジング処理により各印刷データを印刷機構部２が印刷を行えるように画素データに変換する処理を行う。
【００８０】
次に印刷制御部３は、画素データに対してビデオ転送処理を行う（ステップＳ１４０４）。変換した画素データを識別情報や日時情報に従った順番で印刷機構部２の動作速度に合わせて、印刷機構部２に送出する。
【００８１】
次に印刷制御部３は、ＵＳＢメモリ９の電源をＯＦＦする処理を行う（ステップＳ１４０５）。ＩＦ電源制御部７に電力の供給の停止を要求する信号を送信し、ＩＦ電源制御部７からのＵＳＢメモリ９に対する電力の供給を停止させる。この処理は、ステップＳ５０２におけるフォントデータをＵＳＢメモリ９から読み出す処理が終了した時点で実行される。
【００８２】
次に印刷制御部３は、無線ＬＡＮデバイス１２の電源をＯＮとする処理を行う（ステップＳ１６０６）。ＩＦ電源制御部７を用いて無線ＬＡＮデバイス１２が接続されたインターフェース部に対して、電力を供給して電源をＯＮとするようにＶＢＵＳＯＮ信号をアクティブにする。無線ＬＡＮデバイス１２の電源をＯＮとして常時印刷データを受信可能な状態とする。そして、上述のステップＳ１４０２において無線ＬＡＮデバイス１２の電源をＯＦＦとする際に、無線ＬＡＮデバイス１２から予め取得しておき記憶部４に格納していたＩＰアドレス等を含むパラメータ情報を読み出し、無線ＬＡＮデバイス１２に入力して設定する処理を行い終了する。
【００８３】
このように、印刷制御部３は、常時無線ＬＡＮデバイス１２の電源をＯＮとして印刷データを受信可能な状態としておき、印刷データを受信すると電源をＯＦＦとする。そして、種別情報を参照してＵＳＢメモリ９、指紋認証デバイス１０等のように、上位の外部機器でなく常時電源をＯＮとする必要がない場合には、電源をＯＦＦとする処理を行う。そして、印刷データを解析して指紋認証または漢字フォント等外部機器の動作が必要であると判定した場合には、外部機器の電源をＯＮとする処理を行い、外部機器の動作が終了した後は電源をＯＦＦとする処理を行う。この後、画像生成処理を行い印刷機構部２に画素データを送出し印刷が終了した後は、無線ＬＡＮデバイス１２の電源を再びＯＮとして印刷データを受信可能な状態とする。なお、無線ＬＡＮデバイス１２の電源をＯＮとする処理は、外部機器の電源をＯＦＦとする処理の後、直ちに行われてもよい。
【００８４】
このため、全ての外部機器を常時電源をＯＮとして電力の供給を行い多大な電力を常時消費することを防ぎ、更に無線ＬＡＮデバイス１２が接続されて外部機器が３台等となっても、印刷データを受信した後は一旦無線ＬＡＮデバイス１２の電源をＯＦＦとするため、電力の供給は常に１台分またはそれ以下となるので、外部機器の動作状況に応じた効率的な電力の供給を実現することができる。
【００８５】
（他の実施の形態）
続いて、他の実施の形態として、印刷装置１がホストＰＣ８から送信された印刷データを受信する際の処理を以下のように行うことも可能である。まず、印刷制御部３は、ホストＰＣ８または他のホストＰＣから印刷データを受信すると、記憶部４に格納する。
【００８６】
次に印刷制御部３は、ホストＰＣ８から送信された印刷データを解析する処理を行い、印刷データに含まれている印刷の際に指紋認証の作業が必要となることを示すワードや、画像の中に漢字フォントが必要なことを示すワード等の複数種類のワードを取得し、図１７に示すような、各印刷データで実行する印刷処理のジョブにおいて、外部機器およびその外部機器作業の動作の回数を示すリストを作成する。
【００８７】
次に印刷制御部３は、このリストに従って、外部機器のＯＮとする処理を行い動作を行う処理を繰り返し実行する。初めにジョブ１で指紋認証が必要であると判定した場合には、指紋認証デバイス１０の電源をＯＮとする処理を行い、ユーザの指紋認証の照合結果が得られ認証が行われた後、指紋認証デバイス１０の電源をＯＦＦとする処理を行う。そして、以下ＵＳＢメモリ９等に対しても、リストに従って同様の処理を繰り返し実行していく。このような動作によっても、第１の実施の形態と同様の効果を得ることが可能である。
【００８８】
上述の実施の形態においては、印刷装置１における実施の形態について説明したが、これに限られずＵＳＢ等のインターフェース部により外部に外部機器を接続可能な機器であれば他の様々な機器においても同様に実施することが可能である。
【００８９】
また、上述の実施の形態の印刷装置１における本発明の構成は、ＰＣ（パーソナルコンピュータ）、ノートＰＣ、デジタルカメラ、スキャナ、ワードプロセッサ、マルチファンクションプリンタ（ＭＦＰ）、ファクシミリ、複写装置、ＭＰ３プレーヤー、カーナビゲーションシステム、携帯電話、ＰＤＡ等に対しても利用可能である。
【００９０】
上述の実施の形態において、指紋認証または漢字フォントの読み出し等の外部機器の動作が必要な場合には、各外部機器の電源をＯＮとする処理を行うが、印刷データに予め含まれている、ＵＳＢメモリ９、指紋認証デバイス１０等の各外部機器を動作させて指紋認証または漢字フォントの読み出しを行う順番を示す順番情報を読み出し、この順番情報に従って、この順番の通りに電源をＯＮとする処理を行って各外部機器を動作させ、その後電源をＯＦＦとする処理を繰り返すようにしても良い。
【００９１】
また、上述の実施の形態において、指紋認証または漢字フォントの読み出し等の外部機器の動作が必要な場合には、各外部機器の電源をＯＮとする処理を行うが、各外部機器の動作における処理の所要時間情報をテスト動作を行うこと等により計測して、それぞれの外部機器毎に予め記憶部４に格納しておき、この所要時間情報が示す所要時間が短いまたは長い外部機器から順番に電源をＯＮとする処理を行って各外部機器を動作させ、その後電源をＯＦＦとする処理を繰り返すようにしても良い。
【産業上の利用可能性】
【００９２】
外部に接続された外部機器に対して情報の送受信および電力の供給が可能なインターフェース手段を備えた電子装置において利用することが可能である。
【図面の簡単な説明】
【００９３】
【図１】第１の実施の形態における印刷装置全体の構成を示す説明図である。
【図２】第１の実施の形態における印刷装置の印刷機構部の構成を示す説明図である。
【図３】第１の実施の形態における印刷装置全体の動作を示すフローチャート図である。
【図４】第１の実施の形態における印刷装置全体の初期化処理を示すフローチャート図である。
【図５】第１の実施の形態における印刷装置の画像生成処理を示すフローチャート図である。
【図６】第１の実施の形態における印刷装置の操作パネル表示部の構成を示す説明図である。
【図７】第１の実施の形態における印刷装置の種別情報取得処理を示すフローチャート図である。
【図８】第１の実施の形態における印刷装置の印刷データを受信した際の処理を示すフローチャート図である。
【図９】第１の実施の形態における印刷装置のＩＦ電源制御部の構成を示す説明図である。
【図１０】第１の実施の形態における印刷装置の印刷データを示す説明図である。
【図１１】第１の実施の形態における印刷装置の操作パネル表示部の表示例を示す説明図である。
【図１２】第１の実施の形態における印刷装置の操作パネル表示部の他の表示例を示す説明図である。
【図１３】第１の実施の形態における印刷装置の外部機器の初期化処理を示すフローチャート図である。
【図１４】第２の実施の形態における印刷装置の印刷データを受信した際の処理を示すフローチャート図である。
【図１５】第２の実施の形態における印刷装置の構成を示す説明図である。
【図１６】第２の実施の形態における印刷装置の画像生成処理を示すフローチャート図である。
【図１７】各印刷データで実行する印刷処理のジョブにおいて、外部機器およびその外部機器作業の動作の回数を示すリストの図である。
【符号の説明】
【００９４】
１  印刷装置
２  印刷機構部
３  印刷制御部
４  記憶部
５  ホストＰＣ受信ＩＦ部
６  ＵＳＢホストＩＦ制御部
７  ＩＦ電源制御部
８  ホストＰＣ
９  ＵＳＢメモリ
１０  指紋認証デバイス
１１  操作パネル表示部
１２  無線ＬＡＮデバイス
６１  ＬＣＤ
６２、６３、６４、６５、６６  ボタン
９５  ＦＥＴスイッチ
９６  抵抗
９７  コンパレータ
【図１】
0004681397.tif 000002
【図２】
0004681397.tif 000003
【図３】
0004681397.tif 000004
【図４】
0004681397.tif 000005
【図５】
0004681397.tif 000006
【図６】
0004681397.tif 000007
【図７】
0004681397.tif 000008
【図８】
0004681397.tif 000009
【図９】
0004681397.tif 000010
【図１０】
0004681397.tif 000011
【図１１】
0004681397.tif 000012
【図１２】
0004681397.tif 000013
【図１３】
0004681397.tif 000014
【図１４】
0004681397.tif 000015
【図１５】
0004681397.tif 000016
【図１６】
0004681397.tif 000017
【図１７】
0004681397.tif 000018